(57)【要約】【課題】壁パネルの壁厚を薄くしても、天井パネルと壁パネルの間に廻し縁を確実に嵌着することのできる天井パネルの取付構造を提供する。【解決手段】天井パネル１の端部に設けた垂下片１１と壁パネル３の裏面側の上端部に設けた立ち上がり片１３とをユニットルームの内方よりネジ５で固定し、天井パネル１と壁パネル３の間に形成される凹所１０に廻し縁６を挿嵌してなる天井パネル１の取付構造であって、廻し縁６にネジ５の頭を避けるようにして凹部７を備えると共に、この凹部７の形状を保持する硬質片８を設けた。【選択図】　　　図１
2004116030.tif 000002
【特許請求の範囲】
【請求項１】
天井パネルの端部に設けた垂下片と壁パネルの裏面側の上端部に設けた立ち上がり片とをユニットルームの内方よりネジで固定し、天井パネルと壁パネルの間に形成される凹所に廻し縁を挿嵌してなる天井パネルの取付構造であって、廻し縁はネジ側に凹部を備えると共に、凹部の形状を保持する硬質片を設けたことを特徴とする天井パネルの取付構造。
【請求項２】
天井パネルの端部に設けた天井連結片と壁パネルの上端部に設けた壁連結片とをユニットルームの内方よりネジで固定し、天井パネルと壁パネルの間に形成される凹所に廻し縁を挿嵌する天井パネルの取付構造であって、天井連結片及び壁連結片を互いに平行となるようにユニットルームの外方に向けて斜め上方へ折曲すると共に、天井連結片の先端に設ける天井先端部と壁連結片の先端に設ける壁先端部を互いに重合するように折曲し、天井先端部と壁先端部をネジで締め付けてなることを特徴とする天井パネルの取付構造。
【請求項３】
廻し縁は、ネジ側に凹部を備えると共に、凹部の形状を保持する硬質片を設けたことを特徴とする請求項２に記載の天井パネルの取付構造。
【発明の詳細な説明】
【０００１】
【発明の属する技術分野】
本発明は、ユニットルームの壁パネルと天井パネルとを連結する天井パネルの取付構造に関する。
【０００２】
【従来の技術】
従来より、天井パネルの端部に設けた垂下片と壁パネルの裏面側の上端部に設けた立ち上がり片をユニットルーム側よりネジを挿通させて固定し、天井パネルと壁パネルの間に形成される凹所に廻し縁を挿嵌する天井パネルの取付構造があった。（例えば、特許文献１参照）
この場合、壁パネルの壁厚を薄くすると、廻し縁の厚みも薄くなるので、廻し縁の押付力も弱くなる。そこで、廻し縁の厚みを少しでも厚くして押付力を強くするため、廻し縁のネジ側の端部にネジの頭を避けるように凹部を設けることが考えられる。しかし、廻し縁に凹部を設けると、凹部を形成する廻し縁の壁が内側に倒れ込み、実質的に押し付ける部分が少なくなるので、天井パネルと壁パネルに対する廻し縁の押付力が弱くなり、天井パネルと壁パネルとの間に廻し縁を確実に嵌着できないという問題が発生することが考えられる。
【０００３】
【特許文献１】
特開平７−２５２９０７号公報（第３、４頁、図２３）
【０００４】
【発明が解決しようとする課題】
本発明は、上記の問題点を解消するためのもので、壁パネルの壁厚を薄くしても、天井パネルと壁パネルの間に廻し縁を確実に嵌着することのできる天井パネルの取付構造を提供するものである。
【０００５】
【課題を解決するための手段】
本発明の請求項１記載の天井パネルの取付構造は、天井パネルの端部に設けた垂下片と壁パネルの裏面側の上端部に設けた立ち上がり片とをユニットルームの内方よりネジで固定し、天井パネルと壁パネルの間に形成される凹所に廻し縁を挿嵌してなる天井パネルの取付構造であって、廻し縁はネジ側に凹部を備えると共に、凹部の形状を保持する硬質片を設けたことを特徴とする。
【０００６】
このものにあっては、壁パネルの壁厚を薄くしても、廻し縁にネジの頭を避けるように凹部を備えると共に、この凹部の形状を保持する硬質片を設けているので、凹部を形成する廻し縁の壁が内側に倒れ込むことなく、廻し縁が天井パネルと壁パネルを押し付けて、廻し縁を天井パネルと壁パネルとの間に確実に嵌着することができる。
【０００７】
本発明の請求項２に記載の天井パネルの取付構造は、天井パネルの端部に設けた天井連結片と壁パネルの上端部に設けた壁連結片とをユニットルームの内方よりネジで固定し、天井パネルと壁パネルの間に形成される凹所に廻し縁を挿嵌する天井パネルの取付構造であって、天井連結片及び壁連結片を互いに平行となるようにユニットルームの外方に向けて斜め上方へ折曲すると共に、天井連結片の先端に設ける天井先端部と壁連結片の先端に設ける壁先端部を互いに重合するように折曲し、天井先端部と壁先端部をネジで締め付けてなることを特徴とする。
【０００８】
このものにあっては、天井連結片及び壁連結片を互いに平行となるようにユニットルームの外方に向けて斜め上方へ折曲しているので、壁パネルの壁厚を薄くしても、凹所のへこみ部分の高さ寸法を大きく取り、廻し縁の厚みを大きくすることができ、天井パネルと壁パネルの間に廻し縁を確実に嵌着することができる。また、天井先端部と壁先端部にネジを斜め方向に締め付けることができるので、天井パネルと壁パネルとの間の隙間が狭くても、ネジを容易に締め付けることができる。
【０００９】
本発明の請求項３に記載の天井パネルの取付構造は、請求項２に記載の天井パネルの取付構造において、廻し縁は、ネジ側に凹部を備えると共に、凹部の形状を保持する硬質片を設けたことを特徴とする。
【００１０】
このものにあっては、壁パネルの壁厚を更に薄くしても、廻し縁にネジの頭を避けるように凹部を備えると共に、この凹部の形状を保持する硬質片を設けているので、凹部を形成する廻し縁の壁が内側に倒れ込むことなく、廻し縁が天井連結片と壁連結片を押し付けて、廻し縁を天井パネルと壁パネルとの間に確実に嵌着することができる。
【００１１】
【発明の実施の形態】
以後、本発明の実施形態を、図を用いて説明する。
【００１２】
図１は、本発明の実施形態に係る天井パネルの取付構造の第一の実施例を示すものである。
【００１３】
天井パネル１は、端部に略垂直に垂れ下がった板状の垂下片１１を備え、この垂下片１１は水平方向に一定の間隔でネジ孔２１を備えている。
【００１４】
壁パネル３は、裏面側の上端部に、板状の立ち上がり片１３を備え、この立ち上がり片１３は水平方向に一定の間隔でネジ孔２３を有している。
【００１５】
廻し縁６は、棒状で長尺のゴム製部材であって、廻し縁６の長さは垂下片２の長さと略同じ長さであって、廻し縁６の略中心には両端を貫通する空洞部９を備えている。また、廻し縁６の厚みと垂直方向の幅は、立ち上がり片１４の縦幅と略同じで、廻し縁６の厚みと垂直方向の両端にはそれぞれ複数のヒレが付いていて、いずれも長手方向に伸びている。
【００１６】
廻し縁６のネジ側には凹部７を備えると共に、この凹部７の形状を保持する硬質片８があって、共に長手方向に伸びている。尚、凹部７の大きさはネジ５の頭を避けることのできる大きさである。
【００１７】
次に、天井パネル１の取付方法について説明する。
【００１８】
壁パネル３の裏面側の上端部に設けた立ち上がり片１３の上に、天井パネル１を載せると共に、天井パネル１の端部に設けた垂下片１１と立ち上がり片１３を重なり合わせて、ユニットルーム側より立ち上がり片１３のネジ孔２３と垂下片１１のネジ孔２１にネジ５を挿入して締め付け、天井パネル１を壁パネル３に取り付ける。
【００１９】
天井パネル１を壁パネル３に取り付けた後、天井パネル１と壁パネル３との間に形成される凹所１０に廻し縁６をユニットバス側より押し突ける。この場合、廻し縁６はヒレ３１がユニットバス側に反った形で凹所１０に挿入される。
【００２０】
また、廻し縁６には、凹部７の形状を保持する硬質片８を設けているので、凹部７を形成する廻し縁６の壁が内側に倒れ込むことはない。
【００２１】
以上より、壁パネル３の壁厚を薄くしても、廻し縁６にネジ５の頭を避けるように凹部７を備えると共に、この凹部７の形状を保持する硬質片８を設けているので、凹部７を形成する廻し縁６の壁が内側に倒れ込むことなく、廻し縁６が天井パネル１と壁パネル３を押し付けて、廻し縁６を天井パネル１と壁パネル３との間に確実に嵌着することができる。
【００２２】
尚、廻し縁６に空洞部９を設けているので、廻し縁６を製造する材料費を安くすることができる。
【００２３】
図２は、本発明の実施形態に係る天井パネルの取付構造の第二の実施例を示すものである。
【００２４】
天井パネル１は端部に天井連結片２を備え、壁パネル３は上端部に壁連結片４を備え、天井連結片２と壁連結片４を互いに平行となるようにユニットルームの外方に向けて斜め上方へ折曲すると共に、天井連結片２の先端に設けた天井先端部１２と壁連結片４の先端に設けた壁先端部１４を互いに重合するように折曲している。
【００２５】
また、天井先端部１２と壁先端部１４は共に水平方向に一定の間隔でネジ孔２２、２４を備えている。
【００２６】
次に、天井パネル１の取付方法について説明する。
【００２７】
壁パネル３の上端部に設けた壁連結片４の上に、天井パネル１の端部に設けた天井連結片２を載せると共に、天井連結片２の先端に設けた天井先端部１２と壁連結片４の先端に設けた壁先端部１４を重なり合わせて、ユニットルーム側より壁先端部１４のネジ孔２４と天井先端部１２のネジ孔２２にネジ５を挿入して締め付け、天井パネル１を壁パネル３に取り付ける。
【００２８】
天井パネル１を壁パネル３に取り付けた後、天井パネル１と壁パネル３との間に形成される凹所１０に廻し縁６をユニットバス側より押し突ける。この場合、廻し縁６はヒレ３１がユニットバス側に反った形で凹所１０に挿入される。
【００２９】
以上より、壁パネル３の壁厚を薄くしても、天井連結片２と壁連結片４を互いに平行となるようにユニットルームの外方に向けて斜め上方へ折曲しているので、凹所１０のへこみ部分の高さ寸法を大きく取り、廻し縁６の厚みを大きくすることができ、天井パネル１と壁パネル３の間に廻し縁６を確実に嵌着することができる。また、天井先端部１２と壁先端部１２にネジ５を斜め方向に締め付けることができるので、天井パネル１と壁パネル３との間の隙間が狭くても、ネジ５を容易に締め付けることができる。
【００３０】
また、廻し縁６にネジ５の頭を避けるように凹部７を設け、この凹部７を形成する廻し縁６の壁が内側に倒れ込まないように、凹部７の形状を保持するを硬質片８を設けても良い。
【００３１】
したがって、壁パネル３の壁厚を更に薄くしても、廻し縁６にネジ５の頭を避けるように凹部７を設け、この凹部７の形状を保持するを硬質片８を設けているので、凹部７を形成する廻し縁６の壁が内側に倒れ込むことなく、廻し縁６が天井連結片２と壁連結片４を押し付けて、廻し縁６を天井パネル１と壁パネル３との間に確実に嵌着することができる。
【００３２】
【発明の効果】
以上の説明により、本発明の請求項１記載の天井パネルの取付構造によると、壁パネルの壁厚を薄くしても、廻し縁にネジの頭を避けるように凹部を設け、この凹部の形状を保持する硬質片を設けているので、凹部を形成する廻し縁の壁が内側に倒れ込むことなく、廻し縁が天井パネルと壁パネルを押し付けて、廻し縁を天井パネルと壁パネルとの間に確実に嵌着することができる。
【００３３】
本発明の請求項２に記載の天井パネルの取付構造によると、天井連結片及び壁連結片を互いに平行となるようにユニットルームの外方に向けて斜め上方へ折曲しているので、壁パネルの壁厚を薄くしても、凹所のへこみ部分の高さ寸法を大きく取り、廻し縁の厚みを大きくすることができ、天井パネルと壁パネルの間に廻し縁を確実に嵌着することができる。また、天井先端部と壁先端部にネジを斜め方向に締め付けることができるので、天井パネルと壁パネルとの間の隙間が狭くても、ネジを容易に締め付けることができる。
【００３４】
本発明の請求項３に記載の天井パネルの取付構造によると、壁パネルの壁厚を更に薄くしても、廻し縁にネジの頭を避けるように凹部を備えると共に、この凹部の形状を保持する硬質片を設けているので、凹部を形成する廻し縁の壁が内側に倒れ込むことなく、廻し縁が天井連結片と壁連結片を押し付けて、廻し縁を天井パネルと壁パネルとの間に確実に嵌着することができる。
【図面の簡単な説明】
【図１】本発明の実施形態係る天井パネルの取付構造の第一実施例を示す縦断面図である。
【図２】同上の天井パネルの取付構造の第二実施例を示す縦断面図である。
【符号の説明】
１　　　天井パネル
２　　　天井連結片
３　　　壁パネル
４　　　壁連結片
５　　　ネジ
６　　　廻し縁
７　　　凹部
８　　　硬質片
９　　　空洞部
１０　　凹所
１１　　垂下片
１２　　天井先端部
１３　　立ち上がり片
１４　　壁先端部
【図１】
2004116030.tif 000003
【図２】
2004116030.tif 000004